(57)【要約】【課題】原稿カバーを開閉するときの操作感を良好にすることが可能な画像読取装置を提供すること。【解決手段】複合機１は、原稿載置面を有する本体部３と、後端側で支持されており、前端側を下降させると原稿載置面を覆う閉位置へ変位する一方、前端側を上昇させると原稿載置面を露出させる開位置へ変位する原稿カバー部４とを備える。原稿カバー部４は、原稿搬送部の前後左右を囲む壁部６１Ａを有する下層部６１と、原稿搬送部の上方を覆う上層部６２とを備える。下層部６１は、原稿載置面を覆うことが可能な形状の底部を有し、当該底部の外周に対応する位置から壁部６１Ａが上方へと延びている。上層部６２は、前端が壁部６１Ａよりも前方へ突出しており、その突出する部分が原稿カバー部４を開位置へ変位させる際に用いられる手掛け部６５を構成している。【選択図】図５
2014110471.tif 000002
【特許請求の範囲】
【請求項１】
原稿載置面を有する本体部と、
後端側で支持されており、前端側を下降させると前記原稿載置面を覆う閉位置へ変位する一方、前記前端側を上昇させると前記原稿載置面を露出させる開位置へ変位する原稿カバー部と、
前記原稿カバー部に設けられ、原稿を所定の搬送経路に沿って搬送する原稿搬送部と、
前記本体部に設けられ、前記原稿載置面に載置された原稿の画像を読み取り可能であり、また前記搬送部によって搬送される原稿の画像を読み取り可能な読取部と
を備え、
前記原稿カバー部は、前記原稿搬送部の前後左右を囲む壁部を有する下層部と、前記原稿搬送部の上方を覆う上層部とを備え、
前記下層部は、前記原稿載置面を覆うことが可能な形状の底部を有し、当該底部の外周に対応する位置から前記壁部が上方へと延びており、
前記上層部は、少なくとも一部が前記壁部よりも前方へ突出しており、当該突出する部分が前記原稿カバー部を前記開位置へ変位させる際に用いられる手掛け部を構成している
画像読取装置。
【請求項２】
前記下層部は、前記壁部が第一の高さとされた領域であって平面視した状態において前記原稿搬送部の重心と重なる領域とされた第一領域と、前記壁部が前記第一の高さよりも低い第二の高さとされた領域であって平面視した状態において前記原稿搬送部の重心とは重ならない領域とされた第二領域とを有し、
前記上層部は、前記原稿載置面との間の間隔が、前記第一領域に対応する範囲よりも前記第二領域に対応する範囲において狭くなる形状とされている
請求項１に記載の画像読取装置。
【請求項３】
前記原稿カバー部及び本体部は、双方が後端側においてヒンジ部を介して互いに連結されるとともに、いずれか一方が左右方向に延びる軸線を回動中心として前記ヒンジ部に対して回動可能とされ、
前記原稿カバー部の重心は、左右方向について、前記原稿カバー部の両端間中央位置よりも一端側に近くて他端側から遠い位置に偏っており、
前記ヒンジ部は、前記原稿カバー部の重心を挟んで前記一端側となる位置に設けられた第一ヒンジ部と、前記原稿カバー部の重心を挟んで前記他端側となる位置に設けられた第二ヒンジ部とを有し、前記第二ヒンジ部は、前記第一ヒンジ部よりも前記両端間中央位置に近い位置に設けられている
請求項２に記載の画像読取装置。
【請求項４】
前記第二ヒンジ部は、前記第二領域から外れた位置に設けられている
請求項３に記載の画像読取装置。
【請求項５】
前記本体部の前端側には、操作部が設けられ、
前記操作部は、左右方向について、前記第一領域と重なる範囲に設けられている
請求項３又は請求項４に記載の画像読取装置。
【請求項６】
前記操作部は、左右方向に延びる軸線を揺動中心として、前記本体部に揺動可能に支持されている
請求項５に記載の画像読取装置。
【請求項７】
前記下層部は、前記第一領域と前記第二領域との間にある領域であって前記壁部の高さが前記第一領域側から前記第二領域側に向かって低くなる領域とされた第三領域を有し、
前記上層部は、前記第一領域側から前記第二領域側に向かって下り勾配となる傾斜面を有する形状とされている
請求項２〜請求項６のいずれか一項に記載の画像読取装置。
【発明の詳細な説明】
【技術分野】
【０００１】
本発明は、画像読取装置に関する。
【背景技術】
【０００２】
フラットベッド型と呼ばれる画像読取装置は、原稿載置面を覆う原稿カバーを備えている。この種の原稿カバーには、利用者が原稿カバーを開閉する際に利用する手掛け部が設けられている（例えば、特許文献１参照。）。
【０００３】
特許文献１に記載された原稿カバーの場合、原稿カバーの前端中央部分に凹部が形成され、この凹部が手掛け部として利用されている。
【先行技術文献】
【特許文献】
【０００４】
【特許文献１】特許４９３０５８０号公報
【発明の概要】
【発明が解決しようとする課題】
【０００５】
しかしながら、例えば、画像読取装置の設置場所に制約がある場合等に、設置場所と設置方向の関係によっては、原稿カバーの前端中央部分に手を掛けることが難しい場合がある。その場合、原稿カバーを開閉するときの操作感が悪くなる、という問題がある。
【０００６】
また、上述のような原稿カバーには、自動原稿送り装置（Automatic  Document  Feeder；以下、ＡＤＦと略称する。）が設けられる場合がある。この種のＡＤＦは、多くの場合、原稿カバーの前端中央部分に設けられた手掛け部を基準にして、左右対称な重量配分となる構造にはなっておらず、ＡＤＦの重心は左右いずれか一方に偏っている。そのため、原稿カバーの前端中央部分に設けられた手掛け部を用いて原稿カバーを開閉すると、ＡＤＦの重量が偏った位置に作用することが原因で、原稿カバーに捻れが生じたり、原稿カバーが開閉しにくくなったりする。この点も原稿カバーを開閉するときの操作感が悪くなる、という問題を招く。
【０００７】
本発明は、上記問題を解決するためになされたものであり、その目的は、原稿カバーを開閉するときの操作感を良好にすることが可能な画像読取装置を提供することにある。
【課題を解決するための手段】
【０００８】
以下、本発明において採用した構成について説明する。
本発明の画像読取装置は、原稿載置面を有する本体部と、後端側で支持されており、前端側を下降させると前記原稿載置面を覆う閉位置へ変位する一方、前記前端側を上昇させると前記原稿載置面を露出させる開位置へ変位する原稿カバー部と、前記原稿カバー部に設けられ、原稿を所定の搬送経路に沿って搬送する原稿搬送部と、前記本体部に設けられ、前記原稿載置面に載置された原稿の画像を読み取り可能であり、また前記搬送部によって搬送される原稿の画像を読み取り可能な読取部とを備え、前記原稿カバー部は、前記原稿搬送部の前後左右を囲む壁部を有する下層部と、前記原稿搬送部の上方を覆う上層部とを備え、前記下層部は、前記原稿載置面を覆うことが可能な形状の底部を有し、当該底部の外周に対応する位置から前記壁部が上方へと延びており、前記上層部は、少なくとも一部が前記壁部よりも前方へ突出しており、当該突出する部分が前記原稿カバー部を前記開位置へ変位させる際に用いられる手掛け部を構成している。
【０００９】
このように構成された画像読取装置によれば、上層部の一部が下層部の壁部よりも前側に突出して手掛け部を構成しているので、この手掛け部を利用して原稿カバーを開閉することができる。手掛け部として利用される上層部は、左右方向の幅を原稿カバーと同等な幅とすることができるので、原稿カバーの前端中央部分に形成される凹部に比べ、より左右方向の端部に偏った位置においても手を掛けることができるようになる。
【００１０】
したがって、手を掛ける位置の自由度が高くなり、利用者は所望の位置に手をかけることができるので、例えば、原稿カバーの中央部付近に手を掛けにくい場合でも、別の箇所に手を掛けられる余地が増え、開閉操作時の操作性を改善することができる。また、例えば、よりＡＤＦの重心に近い位置に手を掛けることもできるので、これにより、原稿カバーに捻れが生じるのを抑制でき、原稿カバーを開閉するときの操作感を良好にすることができる。
【００１１】
なお、本発明の画像読取装置においては、上述の通り、画像読取装置が備える各部の相対的な位置関係を説明するに当たって、上下左右前後の各方向を利用している。これらの方向は、画像読取装置を水平面上に設置した場合に、その水平面に垂直な方向を上下方向とし、また、手掛け部が突出している方向を前方、その反対方向を後方、上下方向及び前後方向に直交する方向を左右方向と規定したものである。ただし、これらの各方向は、複合機が設置される場所との相対位置や複合機と利用者との相対位置などを規定するものではない。具体例を挙げれば、例えば、利用者側から見て手掛け部が突出する方向が左方となるような状態で画像読取装置を利用してもよく、このような設置方向とされたものであっても、画像読取装置が備える各部の相対的な位置関係が上述の関係を満たす場合には、本発明に包含されるものとなる。
【００１２】
ところで、本発明の画像読取装置において、前記下層部は、前記壁部が第一の高さとされた領域であって平面視した状態において前記原稿搬送部の重心と重なる領域とされた第一領域と、前記壁部が前記第一の高さよりも低い第二の高さとされた領域であって平面視した状態において前記原稿搬送部の重心とは重ならない領域とされた第二領域とを有し、前記上層部は、前記原稿載置面との間の間隔が、前記第一領域に対応する範囲よりも前記第二領域に対応する範囲において狭くなる形状とされていることが好ましい。
【００１３】
このように構成された画像読取装置によれば、原稿カバー部のうち、原稿搬送部の重量がかかりやすい第一領域では、上層部と原稿載置面との間の間隔が広くなるので、利用者が手をかけやすくなる。一方、原稿搬送部の重量がかかりにくい第二領域では、上層部と原稿載置面との間の間隔が狭くなるので、利用者が手をかけにくくなる。
【００１４】
そのため、利用者が手をかけやすいところを持って原稿カバーの開閉操作をすれば、自ずと原稿搬送部の重心に近い位置に手をかけて開閉操作をすることになる。したがって、原稿搬送部の重心から離れた位置に手をかけやすい構造とされている場合に比べ、原稿カバーの開閉操作を実施しやすくすることができる。
【００１５】
また、本発明の画像読取装置において、前記原稿カバー部及び本体部は、双方が後端側においてヒンジ部を介して互いに連結されるとともに、いずれか一方が左右方向に延びる軸線を回動中心として前記ヒンジ部に対して回動可能とされ、前記原稿カバー部の重心は、左右方向について、前記原稿カバー部の両端間中央位置よりも一端側に近くて他端側から遠い位置に偏っており、前記ヒンジ部は、前記原稿カバー部の重心を挟んで前記一端側となる位置に設けられた第一ヒンジ部と、前記原稿カバー部の重心を挟んで前記他端側となる位置に設けられた第二ヒンジ部とを有し、前記第二ヒンジ部は、前記第一ヒンジ部よりも前記両端間中央位置に近い位置に設けられていることが好ましい。
【００１６】
このように構成された画像読取装置において、原稿カバー部の重心は、上述の両端間中央位置よりも一端側に近くて他端側から遠い位置に偏っているが、それに応じて第二ヒンジ部が第一ヒンジ部よりも両端間中央位置に近い位置に設けられている。そのため、第一ヒンジ部及び第二ヒンジ部が両端間中央位置から等距離な位置に設けられているものに比べ、第一ヒンジ部及び第二ヒンジ部をより均等に原稿カバー部の重心に近づけることができ、これにより、原稿カバー部をよりスムーズに開閉可能とすることができる。
【００１７】
また、本発明の画像読取装置において、前記第二ヒンジ部は、前記第二領域から外れた位置に設けられていることが好ましい。
このように構成された画像読取装置によれば、第二ヒンジ部が第二領域から外れた位置に設けられているので、第一ヒンジ部と第二ヒンジ部との距離をいたずらに離間させることなく、原稿カバー部の重心に対してバランスの取れた位置で、両ヒンジ部を原稿カバー部の重心に近づけて配置できるので、原稿カバーの開閉操作を実施しやすくすることができる。
【００１８】
また、本発明の画像読取装置において、前記本体部の前端側には、操作部が設けられ、前記操作部は、左右方向について、前記第一領域と重なる範囲に設けられていることが好ましい。
【００１９】
このように構成された画像読取装置によれば、操作部は第一領域と重なる範囲に設けられており、当該重なる範囲では、原稿搬送部と上層部との間に十分な間隔が確保されるので、原稿カバー部の開閉操作を行う際に操作部に手が当たりにくくなり、開閉操作時の操作性が良好になる。
【００２０】
また、本発明の画像読取装置において、前記操作部は、左右方向に延びる軸線を揺動中心として、前記本体部に揺動可能に支持されていることが好ましい。
このように構成された画像読取装置によれば、操作部を揺動させて操作しやすい角度に調節することができ、その調節の際、原稿搬送部と上層部との間に十分な間隔が確保された箇所で、操作部に手をかけて揺動操作を実施できるので、揺動操作時の操作性が良好になる。
【００２１】
また、本発明の画像読取装置において、前記下層部は、前記第一領域と前記第二領域との間にある領域であって前記壁部の高さが前記第一領域側から前記第二領域側に向かって低くなる領域とされた第三領域を有し、前記上層部は、前記第一領域側から前記第二領域側に向かって下り勾配となる傾斜面を有する形状とされていることが好ましい。
【００２２】
このように構成された画像読取装置によれば、上層部が傾斜面を有する形状とされているので、この傾斜面をなす部分に段差ができているものに比べ、原稿搬送部の見栄えを良好なものとすることができる。
【図面の簡単な説明】
【００２３】
【図１】複合機全体の外観を示す斜視図。
【図２】複合機の内部構成を示すブロック図。
【図３】（ａ）は複合機の平面図、（ｂ）は本体部の平面図。
【図４】（ａ）は複合機の左側面図、（ｂ）は図４（ａ）中に示すＣ部の拡大図。
【図５】複合機の正面図。
【発明を実施するための形態】
【００２４】
次に、本発明の実施形態について一例を挙げて説明する。本実施形態においては、画像読取装置の一例として、画像読取装置としての機能（スキャン機能）に加え、その他の機能（例えば、プリント機能、コピー機能、ファクシミリ送受信機能など）を兼ね備えた複合機として構成されたものを例示する。
【００２５】
なお、以下の説明においては、複合機の各部について、図中に併記した上下左右前後の各方向を利用して説明を行う。ただし、これらの各方向は、複合機各部の相対的な位置関係を簡潔に説明するために利用するものに過ぎず、複合機が設置される場所との相対位置や複合機と利用者との相対位置などを規定するものではない。
【００２６】
［複合機の構造］
図１に示すように、複合機１は、本体部３と、本体部３の上側に取り付けられた原稿カバー部４とを備えている。本体部３は、下側本体３Ａと、下側本体３Ａの上側に搭載された上側本体３Ｂとを備えている。
【００２７】
下側本体３Ａの前側上部には、利用者によって操作される操作部６が設けられている。下側本体３Ａの下部には、印刷前の被記録媒体が収納される給紙カセット８が装着されている。下側本体３Ａの前側で、操作部６の下方、給紙カセット８の上方となる位置には、印刷後の被記録媒体を取り出すための取出口９が設けられている。
【００２８】
下側本体３Ａは、図２に示すように、上述した操作部６の他、制御部１１、画像形成部１２、ＬＡＮ通信部１３、ＰＳＴＮ通信部１４などを備える。制御部１１は、周知のＣＰＵ１１Ａ、ＲＯＭ１１Ｂ、ＲＡＭ１１Ｃ、ＮＶＲＡＭ１１Ｄ、インターフェース部１１Ｅなどを備える。ＣＰＵ１１Ａは、ＲＯＭ１１ＢやＲＡＭ１１Ｃに記憶された制御プログラムに従って所定の処理を実行し、これにより、複合機１の各部に対する制御が実行される。
【００２９】
画像形成部１２は、電子写真方式又はインクジェット方式の印刷機構を備える。ＬＡＮ通信部１３は、無線ＬＡＮに対応した通信インターフェース装置及び有線ＬＡＮに対応した通信インターフェース装置によって構成される。ＰＳＴＮ通信部１４は、ＦＡＸモデムや音声ＣＯＤＥＣなど、公衆回線（Public Switched Telephone Networks；ＰＳＴＮ）に接続する上で必要となる各種機器によって構成される。
【００３０】
操作部６は、利用者が複合機１に対して各種指令を与える際に操作する入力装置（例えば、タッチパネル、各種ボタン類、スイッチ類）と、複合機１の動作状態などを利用者に通知するための出力装置（例えば、液晶ディスプレイ装置）を備える。
【００３１】
上側本体３Ｂは、読取部２０を備えている。この読取部２０は、フラットベッド型イメージスキャナに相当する構成を備えている。具体的には、複数の読取素子を有するライン型のイメージセンサ２１と、イメージセンサ２１を支持するキャリッジ２３と、モータ２５と、モータ２５によって駆動されるギヤ機構２７と、ギヤ機構２７によって駆動されるタイミングベルト２９などを備えている。
【００３２】
本実施形態の場合、イメージセンサ２１は、密着イメージセンサ（ＣＩＳ；Contact Image Sensor）とされている。キャリッジ２３は、タイミングベルト２９に連結されている。モータ２５は、制御部１１のインターフェース部１１Ｅに設けられたモータ駆動部１１Ｆから駆動信号を受けて作動する。モータ２５が発生させた動力は、ギヤ機構２７及びタイミングベルト２９を介してキャリッジ２３へと伝達される。その結果、キャリッジ２３はイメージセンサ２１とともに図１中に示した右方向及び左方向へ移動する。
【００３３】
原稿カバー部４は、原稿搬送部３０を備えている。この原稿搬送部３０は、ＡＤＦ（Automatic Document Feeder；自動原稿送り装置）に相当する構成を備える。具体的には、原稿搬送部３０は、原稿を所定の搬送経路に沿って搬送する搬送ローラ３１〜３９と、モータ４１と、モータ４１によって駆動されるギヤ機構４３などを備える。モータ４１は、制御部１１のインターフェース部１１Ｅに設けられたモータ駆動部１１Ｇから駆動信号を受けて作動する。モータ４１が発生させた動力は、ギヤ機構４３を介して搬送ローラ３１〜３９へと伝達される。搬送ローラ３１〜３９のうち、いくつかのローラはギヤ機構４３によって直接駆動される駆動ローラとされ、残りのいくつかのローラは、駆動ローラ又は原稿に追従して回転する従動ローラとされている。このような原稿搬送部３０と読取部２０が協働することで、複合機１がＡＤＦ型イメージスキャナとして機能する。
【００３４】
［本体部及び原稿カバー部の詳細］
原稿カバー部４は、図３（ａ）に示すように、原稿カバー部４の後端側に配設された第一ヒンジ部５１及び第二ヒンジ部５２を介して本体部３に取り付けられている。本体部３の上面には、図３（ｂ）に示すように、第一ヒンジ部５１及び第二ヒンジ部５２それぞれの下端側が挿し込まれる摺動部５３が設けられている。これら摺動部５３により、第一ヒンジ部５１及び第二ヒンジ部５２は、本体部３に対しては上下方向へ摺動可能に支持されている。
【００３５】
本体部３の上面で、原稿カバー部４が閉位置へ変位した際に原稿カバー部４によって覆われる位置には、透明なガラスによって構成された原稿載置面５５が設けられている。上述の読取部２０は、原稿載置面５５の下方に配置されており、イメージセンサ２１を原稿載置面５５に沿って移動させながら、原稿載置面５５に載置された原稿の画像を読み取ることができる。
【００３６】
第一ヒンジ部５１及び第二ヒンジ部５２は、左右方向に延びる仮想的な軸線Ａｒ（図３（ａ）及び図４（ａ）参照。）を回動中心として、原稿カバー部４を回動可能に支持している。これにより、原稿カバー部４は、図４（ａ）に示すように、本体部３に対して閉開動作可能となっている。また、操作部６も、左右方向に延びる仮想的な軸線Ａｓ（図３（ａ）及び図４（ａ）参照。）を揺動中心として、本体部３に揺動可能に支持されている。これにより、操作部６を所望の角度に傾けて、個々の利用者に応じた最適な角度に調節することができ、操作部６に表示される内容の視認性及び操作部６の操作性を向上させることができる。
【００３７】
原稿カバー部４は、図５に示すように、原稿搬送部３０の前後左右を囲む壁部６１Ａを有する下層部６１と、原稿搬送部３０の上方を覆う上層部６２とを備えている。下層部６１の底部は原稿載置面５５を覆うことが可能な形状及び寸法とされ、その底部の外周に対応する位置から壁部６１Ａが上方へと延びている。上層部６２は、図４（ａ）及び図４（ｂ）に示すように、前端側が壁部６１Ａよりも前方へ突出しており、その突出する前端部分が原稿カバー部４を開位置へ変位させる際に用いられる手掛け部６５とされている。
【００３８】
また、下層部６１は、図４（ｂ）及び図５に示すように、壁部６１Ａの高さが第一の高さＨ１とされた第一領域Ａ１と、壁部６１Ａの高さが第二の高さＨ２とされた第二領域Ａ２と、壁部６１Ａの高さが第一領域Ａ１側から第二領域Ａ２側に向かって低くなる第三領域Ａ３とを有する。
【００３９】
上層部６２は、下層部６１側の壁部６１Ａの高さに応じた形状とされており、第一領域Ａ１及び第二領域Ａ２に対応する範囲は、上面が略水平になっている。また、第三領域Ａ３に対応する範囲は、上面が第一領域Ａ１側から第二領域Ａ２側に向かって下り勾配となる傾斜面となっている。上層部６２と原稿載置面５５との間の間隔は、第一領域Ａ１では壁部６１Ａの高さＨ１にほぼ等しく、第二領域Ａ１では壁部６１Ａの高さＨ２にほぼ等しい。したがって、上層部６２と原稿載置面５５（本体部３の上面）との間の間隔は、第一領域Ａ１に対応する範囲よりも第二領域Ａ２に対応する範囲において狭くなっている。
【００４０】
原稿カバー部４に内蔵された原稿搬送部３０は、大部分の構成が左方に偏った位置に配設されているため、原稿搬送部３０の重心Ｇは、平面視した状態において第一領域Ａ１と重なる範囲にあり、第二領域Ａ２とは重ならない範囲にある。
【００４１】
第一ヒンジ部５１及び第二ヒンジ部５２は、左右方向について、原稿カバー部４の重心Ｇを挟んで左側となる位置に第一ヒンジ部５１が設けられ、原稿カバー部４の重心Ｇを挟んで右側となる位置に第二ヒンジ部５２が設けられている。しかも、第二ヒンジ部５２は、第一ヒンジ部５１よりも複合機１の左右方向中央部に近い位置で、第二領域Ａ２からは外れた位置に設けられている。操作部６は、左右方向について、第一領域Ａ１と重なる範囲に設けられている。
【００４２】
［効果］
以上のように構成された複合機１によれば、上層部６２の前端が下層部６１の壁部６１Ａよりも前側に突出して手掛け部６５を構成しているので、この手掛け部６５を利用して原稿カバー部４を開閉することができる。手掛け部６５として利用される上層部６２は、左右方向の幅を最大で原稿カバー部４と同等な幅とすることができるので、原稿カバー部４の前端中央部分に形成される凹部に比べ、より左右方向の端部に偏った位置においても手を掛けることができるようになる。
【００４３】
したがって、手を掛ける位置の自由度が高くなり、利用者は所望の位置に手をかけることができるので、原稿カバー部４の中央部付近に手を掛けにくい場合でも、別の箇所に手を掛けられる余地が増え、開閉操作時の操作性を改善することができる。また、より原稿搬送部３０の重心Ｇに近い位置に手を掛けることもできるので、これにより、原稿カバー部４に捻れが生じるのを抑制でき、原稿カバー部４を開閉するときの操作感を良好にすることができる。
【００４４】
また、原稿カバー部４のうち、原稿搬送部３０の重量がかかりやすい第一領域Ａ１では、上層部６２と原稿載置面５５との間の間隔が広くしてあるので、利用者が手をかけやすくなる。一方、原稿搬送部３０の重量がかかりにくい第二領域Ａ２では、上層部６２と原稿載置面５５との間の間隔が狭くしてあるので、利用者が手をかけにくくなる。したがって、利用者が手をかけやすいところを持って原稿カバー部４の開閉操作をすれば、自ずと原稿搬送部３０の重心Ｇに近い位置に手をかけて開閉操作をすることになるので、利用者が原稿搬送部３０の重心Ｇの位置を知らなくても操作感を良好にすることができる。
【００４５】
また、上記複合機１においては、原稿カバー部４の重心Ｇは、複合機１の左右方向中央位置よりも左端側に近くて右端側から遠い位置に偏っているが、それに応じて第二ヒンジ部５２が第一ヒンジ部５１よりも複合機１の左右方向中央位置に近い位置に設けられている。そのため、第一ヒンジ部５１及び第二ヒンジ部５２が複合機１の左右方向中央位置から等距離な位置に設けられているものに比べ、第一ヒンジ部５１及び第二ヒンジ部５２をより均等に原稿カバー部４の重心に近づけることができ、これにより、原稿カバー部４をよりスムーズに開閉可能とすることができる。
【００４６】
また、上記複合機１においては、第二ヒンジ部５２が第二領域Ａ２から外れた位置に設けられているので、第一ヒンジ部５１と第二ヒンジ部５２との距離をいたずらに離間させることなく、原稿カバー部４の重心に対してバランスの取れた位置で、第一ヒンジ部５１及び第二ヒンジ部５２を原稿カバー部４の重心に近づけて配置でき、これにより、原稿カバー部４の開閉操作を実施しやすくすることができる。
【００４７】
さらに、操作部６は第一領域Ａ１と重なる範囲に設けられており、この範囲では原稿搬送部３０と上層部６２との間に十分な間隔が確保されるので、原稿カバー部４の開閉操作を行う際に操作部６に手が当たりにくくなり、開閉操作時の操作性が良好になる。
【００４８】
また、上記複合機１においては操作部６を揺動させて操作しやすい角度に調節することができるが、その調節の際、原稿搬送部３０と上層部６２との間に十分な間隔が確保された箇所で、操作部６に手をかけて揺動操作を実施できるので、操作部６を揺動操作するときの操作性も良好になる。
【００４９】
加えて、上記複合機１では、上層部６２が傾斜面を有する形状とされているので、この傾斜面をなす部分に段差ができているものに比べ、原稿搬送部３０の見栄えを良好なものとすることができる。
【００５０】
［その他の実施形態］
以上、本発明の実施形態について説明したが、本発明は上記の具体的な一実施形態に限定されず、この他にも種々の形態で実施することができる。
【００５１】
例えば、上記実施形態では、本発明の画像読取装置の一例として、複合機として構成された画像読取装置を例示したが、複合機として構成されているか否かは任意であり、単機能の画像読取装置、コピー機、ファクシミリ装置などにおいて、本発明の構成を採用してもよい。
【符号の説明】
【００５２】
１…複合機、３…本体部、３Ａ…下側本体、３Ｂ…上側本体、４…原稿カバー部、６…操作部、８…給紙カセット、９…取出口、１１…制御部、１１Ａ…ＣＰＵ、１１Ｂ…ＲＯＭ、１１Ｃ…ＲＡＭ、１１Ｄ…ＮＶＲＡＭ、１１Ｅ…インターフェース部、１１Ｆ…モータ駆動部、１１Ｇ…モータ駆動部、１２…画像形成部、１３…ＬＡＮ通信部、１４…ＰＳＴＮ通信部、２０…読取部、２１…イメージセンサ、２３…キャリッジ、２５…モータ、２７…ギヤ機構、２９…タイミングベルト、３０…原稿搬送部、３１〜３９…搬送ローラ、４１…モータ、４３…ギヤ機構、５１…第一ヒンジ部、５２…第二ヒンジ部、５３…摺動部、５５…原稿載置面、６１…下層部、６１Ａ…壁部、６２…上層部、６５…手掛け部、Ａ１…第一領域、Ａ２…第二領域、Ａ３…第三領域、Ｇ…原稿搬送部の重心。
【図１】
2014110471.tif 000003
【図２】
2014110471.tif 000004
【図３】
2014110471.tif 000005
【図４】
2014110471.tif 000006
【図５】
2014110471.tif 000007